(57)【要約】【課題】コンピュータとコントローラとを無線LANにより関連させてなる赤外線コントロールシステムにおいて、情報の漏洩を防止すると共に該コンピュータ上のソフトウエアが複製されて他用途に使用されるおそれを排除する。【解決手段】 コンピュータ１と、コントローラ３と、該コンピュータとコントローラとを関連させる無線LAN手段５と、情報の漏洩を防止すると共に該コンピュータ上のソフトウエアが複製されて他用途に使用されることを防止するためのセキュリティ手段１１とよりなることを特徴とする赤外線コントロールシステム。【選択図】図１
0003120744.tif 000002
【実用新案登録請求の範囲】
【請求項１】
コンピュータと、コントローラと、該コンピュータとコントローラとを関連させる無線LAN手段と、情報の漏洩を防止すると共に該コンピュータ上のソフトウエアが複製されて他用途に使用されることを防止するためのセキュリティ手段とよりなることを特徴とする赤外線コントロールシステム。
【考案の詳細な説明】
【技術分野】
【０００１】
本考案は、赤外線コントロールシステムに関するものであり、例えば、AV機器、エアコン装置、照明器具等の機器を遠隔制御する赤外線コントロールシステムに係るものである。
【背景技術】
【０００２】
テレビ受像機に赤外線を照射して該テレビ受像機を遠隔制御するようにしたコントローラ（リモートコントローラないしリモコン装置）は、例えば実開平５−２５８９２号公報等により開示されている。
【特許文献１】実開平５−２５８９２号公報
【考案の開示】
【考案が解決しようとする課題】
【０００３】
しかるに、AV機器、エアコン装置、照明器具等の複数の機器を各別のコントローラにより制御することは煩雑であり、コントローラを紛失するおそれもある。
【０００４】
そこで、コンピュータとコントローラとを有線で接続してなる赤外線コントロールシステムが開発されている。
【０００５】
このような赤外線コントロールシステムにおいては、情報が流出するおそれはないが、持ち運び、設置スペースの変更、或いは移動して制御すること等が困難ないし不可能である。
【０００６】
コンピュータとコントローラとを無線LANにより関連させてなる赤外線コントロールシステムも考えられる。この赤外線コントロールシステムにおいては、上記有線の問題は生じないが、情報が漏洩するおそれがある。また、この赤外線コントロールシステムにおいては、コントローラに情報を送るコンピュータ上のソフトウエアが複製され、他用途に使用されるおそれもある。
【０００７】
以上の如き状況に鑑み、本考案は、コンピュータとコントローラとを無線LANにより関連させてなる赤外線コントロールシステムにおける上述の如き問題を解消し、該赤外線コントロールシステムにおける情報及びソフトウエアの漏洩を防止しようとしてなされたものである。
【課題を解決するための手段】
【０００８】
上記課題を解決するために、本考案は下記の赤外線コントロールシステムを提供する。
【０００９】
コンピュータと、コントローラと、該コンピュータとコントローラとを関連させる無線LAN手段と、情報の漏洩を防止すると共に該コンピュータ上のソフトウエアが複製されて他用途に使用されることを防止するためのセキュリティ手段とよりなることを特徴とする赤外線コントロールシステム。
【考案の効果】
【００１０】
本考案によれば、赤外線コントロールシステムにセキュリティ手段を備えさせたため、コンピュータとコントローラとの間でやり取りされる情報が漏洩することが防止されると共に、該コンピュータ上のソフトウエアが複製されて他用途に使用されるおそれが排除される。即ち、該赤外線コントロールシステムにおける情報及びソフトウエアの漏洩が防止される。
【考案を実施するための最良の形態】
【００１１】
符号１に示すものはパソコン等のコンピュータである。
【００１２】
符号３に示すものはコントローラ（リモートコントローラないしリモコン装置）である。
【００１３】
符号５に示すものはコンピュータ１とコントローラ３とを関連させる無線LAN手段である。
【００１４】
コントローラ３は赤外線信号７を機器９に送信し、該機器９を制御する。
【００１５】
コンピュータ１とコントローラ３との間では、赤外線のアナログ情報をデジタル化し、無線LAN手段５を介して生コードにて制御することにより装置を簡素化し、反応速度を速め、かつ、反応角度を大きくすることにより制御機器の位置等に影響されないシステムとなす。
【００１６】
しかして、本考案による赤外線コントロールシステムは、情報の漏洩を防止すると共に該コンピュータ上のソフトウエアが複製されて他用途に使用されることを防止するためのセキュリティ手段１１を備えている。
【００１７】
以下、このセキュリティ手段１１の一例について説明する。
【００１８】
コンピュータ１とコントローラ３との間の情報のやり取りにおいて、赤外線コードはデジタル化されるが、この際、下記の如く、コードを暗号処理することにより、無線による情報の漏洩が防止される。
【００１９】
（１）コントローラ３の赤外線波形コードを解読し、暗号化して、これをコンピュータ１内にデータとして蓄積する。
【００２０】
（２）コンピュータ１は、暗号化された赤外線コード１３を、無線LAN手段５を介して、コントローラ３に送信する。この赤外線コード１３は、暗号化されているため、漏洩のおそれがない。換言すれば、仮に情報が漏れても、暗号化により、情報の解読が妨げられる。また、コンピュータ上のデータも保護される。
【００２１】
（３）コントローラ３に送られた暗号化された赤外線コード１３は、コントローラ３により解読され、元の赤外線波形コードに復元された状態で、機器９に送信される。
【００２２】
ソフトウエア自体を保護するため、コンピュータ１とコントローラ３との間で相互の情報を認識しあう暗号化システムを下記の如く構築する。
【００２３】
［初期設定］
【００２４】
（１）    コンピュータ１の電源投入
【００２５】
（２）    通信回路初期化
【００２６】
（３）    他制御機からの履歴データの確認
【００２７】
（４）    コンピュータ１とコントローラ３との間で任意の入力
暗号化されたＩＰアドレス、シリアルコードの取得
【００２８】
（５）    コントローラ３内のソフトウエアに履歴が記入される。
【００２９】
以上により、コンピュータ１とコントローラ３との関係が成立する。次回より、履歴確認１５後、コンピュータ１とコントローラ３との間の通信が可能となる。
【００３０】
このように、コンピュータ１とコントローラ３との間で相互のシステムを確認し、相互の機器情報を暗号化するため、同じソフトウエアを複製し、これを他のコントローラに使用しようと試みても、相互の情報の確認の段階で不正が発覚し、使用不能となる。
【００３１】
従来、コントローラは電子機器であるため容易に複製され、ソフトウエアもしばしば複製されていた。しかるに、本考案によれば、仮にコントローラとソフトウエアとが複製されたときでも、シリアルコードが暗号化された状態でコントローラに登録されるため、当該コントローラは他のコントローラと確実に識別される。従って、複製されたソフトウエアは機能せず、当該コントローラ以外のコントローラは作動しない。
【図面の簡単な説明】
【００３２】
【図１】本考案による赤外線コントロールシステムの一例を示す説明図である。
【符号の説明】
【００３３】
１  コンピュータ
３  コントローラ
５  無線LAN手段
７  赤外線信号
９  機器
１１  セキュリティ手段
１３  赤外線コード
１５  履歴確認
【図１】
0003120744.tif 000003